(57)【特許請求の範囲】
【請求項１】
第１及び第２の電力スイッチングユニットを制御するデバイスであって、前記第１の電力スイッチングユニットは、ケーブルを介して第１の負荷に供給される第１の電力量を制御し、前記第２の電力スイッチングユニットは、前記ケーブルを介して第２の負荷に供給される第２の電力量を制御し、前記第１の電力スイッチングユニットは、前記デバイスから第１の指示信号を受信し、前記第２の電力スイッチングユニットは、更に、要求信号を前記デバイスに送って、前記デバイスから第２の指示信号を受信する、第１及び第２の電力スイッチングユニットを制御するデバイスにおいて、
前記デバイスは、
前記第２の電力スイッチングユニットから前記要求信号を受信する受信器と、
利用可能なケーブル電力容量を考慮して前記要求信号によって規定される要求を分析する分析器であって、総ケーブル電力容量と前記ケーブルの他の負荷に届けられた使用されるケーブル電力容量との差を決定し、決定された前記差を前記要求によって規定される前記第２の電力量と比較する、分析器と、
前記分析器からの分析結果に応じて、前記第１の負荷に供給されている第１の電力量を減らし、前記第２の電力量の一部のみが前記第２の負荷に供給されることを可能にするよう、前記第１の電力スイッチングユニットに対する第１の指示、及び前記第２の電力スイッチングユニットに対する第２の指示を生成する生成器であって、前記第１の指示は、前記分析器からの分析結果に応じて前記第１の電力スイッチングユニットが、前記第１の電力量の一部のみをスイッチングすること、又はスイッチングを全く行わないことを可能にし、前記第２の指示は、前記分析器からの分析結果に応じて前記第２の電力スイッチングユニットが前記第２の電力量の一部のみをスイッチングすることを可能にする、生成器と、
前記第１の指示を規定する前記第１の指示信号を前記第１の電力スイッチングユニットへと送信し、前記第２の指示を規定する前記第２の指示信号を前記第２の電力スイッチングユニットへと送信する送信器と、を含む、デバイス。
【請求項２】
前記分析器は、前記第２の負荷に関する第２の負荷情報を考慮して前記要求信号によって規定された前記要求を分析する、請求項１に記載のデバイス。
【請求項３】
前記第２の負荷情報は定常状態情報及び過渡状態情報を含み、各情報は、前記第２の負荷から前記デバイスへ、前記第２の電力スイッチングユニットから前記デバイスへ、又はサーバから前記デバイスへと提供される、請求項１に記載のデバイス。
【請求項４】
前記ケーブルは第２のコンバータを介して補助ソースに結合され、
前記デバイスは、
前記第２のコンバータとの通信のため及び／又は前記補助ソースとの通信のための通信器と、
前記総ケーブル電力容量と前記ケーブルの他の負荷に届けられた前記使用されるケーブル電力容量との差として、前記利用可能なケーブル電力容量を決定することを通して、前記利用可能なケーブル電力容量を予測する予測器と、
を更に含む、請求項１に記載のデバイス。
【請求項５】
前記補助ソースはバッテリを含み、前記通信はバッテリ電力容量を規定するバッテリ情報の受信を含み、前記予測器は前記バッテリ情報を考慮して前記利用可能なケーブル電力容量を予測し、前記生成器は、前記分析器からの分析結果に応じて、充電状態に前記バッテリを至らせてエネルギーを前記バッテリへと誘導するか又は放電状態に前記バッテリを至らせて前記バッテリからエネルギーを回収する、請求項４に記載のデバイス。
【請求項６】
前記補助ソースはソーラーパネルを含み、前記通信はソーラーパネル電力容量を規定するソーラーパネル情報の受信を含み、前記予測器は前記ソーラーパネル情報を考慮して利用可能なケーブル電力容量を予測する、請求項４に記載のデバイス。
【請求項７】
前記ケーブルは第１のコンバータを介して主ソースに更に結合され、前記予測器は前記第１のコンバータの最大電力容量を考慮して利用可能なケーブル電力容量を予測し、
前記予測器は、前記利用可能なケーブル電力容量を、総ケーブル電力容量と前記ケーブルの他の負荷に届けられた前記使用されるケーブル電力容量との差として決定する、請求項４に記載のデバイス。
【請求項８】
前記予測器は、ソーラーパネル情報、バッテリ情報及び／又は気象情報を考慮して、利用可能なケーブル電力容量を予測する、請求項４に記載のデバイス。
【請求項９】
前記ケーブルはＤＣ電圧及びＤＣ電流を第１の負荷に供給する、請求項１に記載のデバイス。
【請求項１０】
前記第１の負荷は第１の電力量を受け取り、前記第２の電力スイッチングユニットは前記第２の負荷への前記第２の電力量の移動を要求し、前記生成器は、前記第２の負荷が前記第２の電力量を受け取り中となるまで前記第１の負荷に供給される第１の電力量を一時的に減らす、請求項１に記載のデバイス。
【請求項１１】
第１及び第２の電力スイッチングユニットを制御する方法であって、前記第１の電力スイッチングユニットは、ケーブルを介して第１の負荷に供給される第１の電力量を制御し、前記第２の電力スイッチングユニットは、前記ケーブルを介して第２の負荷に供給される第２の電力量を制御し、前記第１の電力スイッチングユニットは、第１の指示信号を受信し、前記第２の電力スイッチングユニットは、更に、要求信号を送って、第２の指示信号を受信する、第１及び第２の電力スイッチングユニットを制御する方法において、
利用可能なケーブル電力容量を考慮して前記要求信号によって規定される前記要求を分析するステップであって、分析器が、総ケーブル電力容量と他の負荷に届けられた使用されるケーブル電力容量との差を決定し、決定された前記差を前記要求によって規定される前記第２の電力量と比較する、ステップと、
前記分析器からの分析結果に応じて、前記第１の負荷に供給されている第１の電力量を減らし、前記第２の電力量の一部のみが前記第２の負荷に供給されることを可能にするよう、前記第１の電力スイッチングユニットに対する第１の指示、及び前記第２の電力スイッチングユニットに対する第２の指示を生成するステップであって、前記第１の指示は、前記分析器からの分析結果に応じて前記第１の電力スイッチングユニットが、前記第１の電力量の一部のみをスイッチングすること、又はスイッチングを全く行わないことを可能にし、前記第２の指示は、前記分析器からの分析結果に応じて前記第２の電力スイッチングユニットが前記第２の電力量の一部のみをスイッチングすることを可能にする、ステップと、
を含む、方法。
【請求項１２】
コンピュータを介して実行された際に、請求項１１に記載の方法のステップを行う、コンピュータプログラム。
【請求項１３】
請求項１２に記載のコンピュータプログラムを保存して含む、媒体。
【発明の詳細な説明】
【技術分野】
【０００１】
本発明は、第１のゲートを制御するデバイスに関し、第１のゲートは、ケーブルを介して第１の負荷へ供給される第１の電力量を制御するように構成される。本発明は更に、方法、コンピュータプログラムプロダクト、及び媒体に関する。
【０００２】
そのようなデバイスの例は、エネルギー管理装置である。
【背景技術】
【０００３】
米国特許出願公開第２０１２／０２８０５６５Ａ１号は、インテリジェント電力制御装置のシステム及び方法を開示しており、段落００３６において、電力バジェットを分析し且つ分析結果に応じてノード（ゲート）を制御する家庭用エネルギー管理装置（デバイス）を開示する。
【０００４】
米国特許出願公開第２０１２／０２８０５６５Ａ１号では、ノードがルールに基づいて決定を行い、その後でノードが家庭用エネルギー管理装置に通知する。
【発明の概要】
【発明が解決しようとする課題】
【０００５】
本発明の目的は、改良デバイスを提供することである。本発明の更なる目的は、改良方法、コンピュータプログラムプロダクト及び媒体を提供することである。
【課題を解決するための手段】
【０００６】
第１の態様によれば、第１のゲートを制御するデバイスが提供され、第１のゲートは、ケーブルを介して第１の負荷に供給される第１の電力量を制御するように構成され、第１のゲートは、第１の要求信号をデバイスに送り且つデバイスから第１の指示信号を受信するように更に構成され、デバイスは、
第１のゲートから第１の要求信号を受信する受信器と、
利用可能なケーブル電力容量を考慮して第１の要求信号によって規定される第１の要求を分析する分析器と、
分析器からの第１の分析結果に応じて第１のゲートに対する第１の指示を生成する生成器と、
第１の指示を規定する第１の指示信号を第１のゲートへと送信する送信器と、
を含む。
【０００７】
デバイスは、第１のゲートを制御する。第１のゲートは、ケーブルを介して第１の負荷に供給される第１の電力量を制御する。第１のゲートは、デバイスに第１の要求信号を送ることができ、且つデバイスから第１の指示信号を受信することができる。デバイスは、第１のゲートから第１の要求信号を受信する受信器、及び第１の指示を規定する第１の指示信号を第１のゲートに送信する送信器を含む。デバイスは、利用可能なケーブル電力容量を考慮して第１の要求信号によって規定される第１の要求を分析する分析器、及び分析器からの第１の分析結果に応じて第１のゲートに対する第１の指示を生成する生成器を更に含む。その結果、電力のスイッチングに積極的な役割を果たすデバイスが作られた。後で通知される先行技術の家庭用エネルギー管理装置と比較して、改良デバイスは、電力がスイッチングされる前に通知される、並びに、改良デバイスは、電力がどの様に及び／又は何時スイッチングされるかを決定することができる。これは大きな利点である。
【０００８】
分析器は、例えば（瞬時）総ケーブル電力容量と他のゲートを介して他の負荷に届けられた（瞬時）使用されるケーブル電力容量との差を決定することによって、及び例えば決定された差を第１の要求によって規定された第１の電力量と比較することによって利用可能なケーブル電力容量を考慮して、第１の要求信号によって規定された第１の要求を分析することができる。生成器は、分析器からの第１の分析結果に応じて第１のゲートに対する第１の指示を生成することができ、この第１の指示によって第１のゲートを制御することができる。決定された差が第１の電力量よりも大きい場合、デバイスは、例えば、第１のゲートがこの第１の電力量をスイッチングすることを可能にすることを決定してもよい。決定された差が第１の電力量よりも小さい場合、デバイスは、例えば、第１のゲートが第１の電力量の一部のみをスイッチングすることを可能にする又はスイッチングを全く行わないようにすることを決定してもよい。
【０００９】
第１の要求信号及び第１の指示信号は、有線通信によって及び／又は無線通信によってやり取りされてもよい。他の種類の信号が除外されない。デバイスは、データを注文する為に注文信号をゲートに送ってもよい及びそれに応じてゲートからデータを規定するデータ信号を受信する等してもよい。デバイスは、ゲート及び／又はゲートに結合された負荷を制御する為にゲートに制御信号を更に送る等してもよい。そして、ゲートは、デバイスに通知する為にデバイスに情報信号を送る等してもよい。
【００１０】
デバイスの一実施形態は、第１の負荷に関する第１の負荷情報を考慮して第１の要求信号によって規定された要求を分析するように構成された分析器によって規定される。第１の負荷に関する第１の負荷情報を用いて、改良方法で要求を分析することができる。第１の負荷情報は、例えば、第１の負荷の相対的重要性及び／又は第１の負荷の統計的挙動を規定する等してもよい。
【００１１】
デバイスの一実施形態は、定常状態情報及び過渡状態情報を含む第１の負荷情報、第１の負荷からデバイスへ、第１のゲートからデバイスへ、又はサーバからデバイスへと提供される各情報によって規定される。照明負荷、加熱負荷、ポンプ負荷、空調負荷及びモータリング負荷等の多くの異なる負荷を区別することができる。各負荷は、第１に過渡状態において過渡状態電流を必要とし、及び第２に定常状態において定常状態電流を必要とする。スイッチング状態等の過渡状態は、定常状態に達する前に数ミリ秒間、数秒間、又は数分間続き得る。負荷毎に、これら２つの異なる種類の電流は大きく異なり得る。第１の負荷に関する定常状態情報及び過渡状態情報を用いることによって、更なる改良方法で要求を分析することができる。各情報は、要求信号によって又は要求信号のやり取りの前若しくは後にやり取りされる別の信号によって、第１の負荷からデバイスへと若しくは第１のゲートからデバイスへと提供されてもよい、又は要求信号のやり取りの前若しくは後に、サーバからデバイスへと提供されてもよい。
【００１２】
デバイスの一実施形態は、補助コンバータを介して補助ソースに結合されるケーブルによって規定され、デバイスは、
補助コンバータとの及び／又は補助ソースとの通信のための通信器と、
利用可能なケーブル電力容量を予測する予測器と、
を更に含む。
【００１３】
通信は、上述の要求信号、指示信号、注文信号及び／又はデータ信号を含んでもよいが、代替的に、有線方式及び／又は無線方式でやり取りされる他の信号を含む等してもよい。予測は、以前に通信されたこれらの信号の１つ又は複数の１つ又は複数のコンテンツを使用してもよい。
【００１４】
デバイスの一実施形態は、バッテリを含む補助ソース、バッテリ電力容量を規定するバッテリ情報の受信を含む通信、バッテリ情報を考慮して利用可能なケーブル電力容量を予測するように構成された予測器、及び分析器からの分析結果に応じて、エネルギーをバッテリへと誘導する第１の状態又はバッテリからエネルギーを回収する第２の状態にバッテリを至らせるように構成された生成器によって規定される。エネルギーが、例えば別の補助ソースから又は主ソースからケーブルを介してバッテリへと誘導される場合、バッテリが充電される。エネルギーがバッテリから回収され、且つケーブルに供給される場合、バッテリが放電される。バッテリが完全に充電されると、予測された利用可能なケーブル電力容量は、バッテリ電力容量を含むことができる又はそれに基づくことができる。バッテリが完全に放電されると、予測された利用可能なケーブル電力容量は、バッテリ電力容量を含むことができない及びそれに基づくことができない。
【００１５】
デバイスの一実施形態は、ソーラーパネルを含む補助ソース、ソーラーパネル電力容量を規定するソーラーパネル情報の受信を含む通信、ソーラーパネル情報を考慮して利用可能なケーブル電力容量を予測するように構成された予測器によって規定される。晴れの日中には、ケーブルを介して第１の負荷に電力を供給する為及び／又はバッテリを充電する為にソーラーパネルが使用されてもよい。曇りの日中及び夜間は、ソーラーパネルは、縮小されて使用することができるだけであるか又は全く使用することができない。
【００１６】
デバイスの一実施形態は、主コンバータを介して主ソースに更に結合されるケーブル、主コンバータの最大電力容量を考慮して利用可能なケーブル電力容量を予測するように構成された予測器によって規定される。通常、ＡＣ電源等の主ソースは、主コンバータが処理できるよりも多くの電力を届けることができ、その場合、主コンバータの最大電力容量は、これら２つの障害となる。コストを抑える為に、主コンバータの最大電力容量は、必要な量よりもずっと高くに選択されるべきではない。
【００１７】
デバイスの一実施形態は、ソーラーパネル情報、バッテリ情報、気象情報及び／又はｗｗｗ情報を考慮して、利用可能なケーブル電力容量を予測するように構成された予測器によって規定される。予測器は、局所的に生成された情報（ソーラーパネル情報、バッテリ情報等）及び非局所的に生成された情報（気象情報、ｗｗｗ情報等）等のあらゆる種類の情報を使用することができる。
【００１８】
デバイスの一実施形態は、ＤＣ電圧及びＤＣ電流を第１の負荷に供給するように構成されたケーブルによって規定される。好ましくは、ケーブルは、ＤＣ電力ケーブルである。その場合、各コンバータは、ＤＣ電圧及びＤＣ電流を生成しなければならない。
【００１９】
デバイスの一実施形態は、第２のゲートを制御するように構成されたデバイス、ケーブルを介して第２の負荷に供給される第２の電力量を制御するように構成された第２のゲート、第２の要求信号をデバイスに送り且つデバイスから第２の指示信号を受信するように更に構成された第２のゲート、第２のゲートから第２の要求信号を受信するように構成された受信器、利用可能なケーブル電力容量を考慮して第２の要求信号によって規定される第２の要求を分析するように構成された分析器、分析器からの第２の分析結果に応じて第２のゲートに対する第２の指示を生成するように構成された生成器、及び、第２の指示を規定する第２の指示信号を第２のゲートへと送信するように構成された送信器によって規定される。通常、２つ以上の負荷が存在し、各負荷又は負荷の各グループは、１つのゲートによって制御される。
【００２０】
デバイスの一実施形態は、第１の電力量を受け取り中の第１の負荷及び第２の負荷への第２の電力量の移動を要求済みの第２のゲート、第２の負荷が第２の電力量を受け取り中となるまで第１の負荷に供給される第１の電力量を一時的に減らすように構成された生成器によって規定される。比較的大きな過渡状態電流を必要とする第２の負荷の問題の解決法の１つは、第１の負荷に供給される第１の電力量を一時的に減らすことによって実現される。第１の電力量は、負荷を交互に制御する為にゼロにさえ減らされてもよい。
【００２１】
デバイスの一実施形態は、第１の電力量を受け取り中の第１の負荷及び第２の負荷への第２の電力量の移動を要求済みの第２のゲート、第１の負荷に供給される第１の電力量を減らす及び第２の電力量の一部のみが第２の負荷に供給されることを可能にするように構成された生成器によって規定される。比較的大きな定常状態電流を必要とする第２の負荷の問題の解決法の１つは、第１の負荷に供給される第１の電力量を減らすことによって及び第２の電力量の一部のみが第２の負荷に供給されることを可能にすることによって実現される。これらの減少は、パルス出力方式で実現されてもよい。
【００２２】
第２の態様によれば、第１のゲートを制御する方法が提供され、第１のゲートは、ケーブルを介して第１の負荷に供給される第１の電力量を制御するように構成され、第１のゲートは、第１の要求を規定する第１の要求信号を送り且つ第１の指示を規定する第１の指示信号を受信するように更に構成され、この方法は、
利用可能なケーブル電力容量を考慮して第１の要求を分析するステップと、
第１の分析結果に応じて第１のゲートに対する第１の指示を生成するステップと、
を含む。
【００２３】
第３の態様によれば、コンピュータを介して実行された際に、上記で規定された方法のステップを行う為のコンピュータプログラムプロダクトが提供される。
【００２４】
第４の態様によれば、上記で規定されたコンピュータプログラムプロダクトを保存する及び含む媒体が提供される。
【００２５】
先行技術の家庭用エネルギー管理装置は後で通知される点が理解される。基本的考えは、改良デバイスはゲートによって事前に通知されるべきであり、且つこのゲートを制御するべきであることである。
【００２６】
改良デバイスを提供する為の問題点は解決された。更なる利点は、制御の選択肢の数を増やすことができる点、制御の質を向上させることができる点、システムをより精密に設計することができる点、及びシステムの信頼性を向上させることができる点である。
【００２７】
本発明のこれら及び他の態様は、以下に記載される実施形態を参照すれば、明白となり且つ解明されるであろう。
【図面の簡単な説明】
【００２８】
【図１】デバイスを含み、並びに、コンバータを介してソースに結合された及びゲートを介して負荷に結合されたケーブルを含むシステムを示す。
【図２】デバイスの一実施形態を示す。
【図３】フローチャートを示す。
【発明を実施するための形態】
【００２９】
図１では、デバイス１を含み、並びに、コンバータ３１〜３４を介してソース４１〜４４に結合された及びゲート２１〜２４を介して負荷５１〜５４に結合されたケーブル２を含む、ビル管理システム等のシステムが示される。デバイス１は、ケーブル２に結合される。ケーブル２は、バッテリ４１の形態の補助ソースに更に結合される補助コンバータ３１に結合される。ケーブル２は、ソーラーパネル４２、４３の形態の補助ソースに更に結合される補助コンバータ３２、３３に更に結合される。ケーブル２は、電源４４の形態の主ソースに更に結合される主コンバータ３４に結合される。ケーブル２は、負荷５１〜５４に更に結合されるゲート２１〜２４に更に結合される。負荷５１〜５４は、照明負荷、加熱負荷、ポンプ負荷、空調負荷及びモータリング負荷等を含み得る。ケーブル２は、ゲート２１〜２４を介して負荷５１〜５４にＤＣ電圧及びＤＣ電流を供給するように構成されてもよい。
【００３０】
図２では、デバイス１の一実施形態が示される。デバイス１は、第１のゲート２１を制御するように構成される。第１のゲート２１は、ケーブル２を介して第１の負荷５１に供給される第１の電力量を制御するように構成される。第１のゲート２１は、デバイス１に第１の要求信号を送り且つデバイス１から第１の指示信号を受信するように更に構成される。デバイス１は、第１のゲート２１から第１の要求信号を受信する受信器１１、利用可能なケーブル電力容量を考慮して第１の要求信号によって規定される第１の要求を分析する分析器１２、分析器からの第１の分析結果に応じて第１のゲート２１に対する第１の指示を生成する生成器１３、及び第１の指示を規定する第１の指示信号を第１のゲート２１へと送信する送信器１４を含む。
【００３１】
受信器１１及び送信器１４は、第１のゲート２１と無線方式で通信するが、代替的に、これらは、ケーブル２を介して又は図示されない別のワイヤを介して、第１のゲート２１と有線方式で通信してもよい。更に、受信器１１及び送信器１４は、１つの送受信器のパーツを形成してもよい。
【００３２】
分析器１２は、好ましくは、例えば第１の負荷５１の相対的重要性及び／又は第１の負荷５１の統計的挙動等の第１の負荷５１に関する第１の負荷情報を考慮して第１の要求信号によって規定される要求を分析するように構成される。第１の負荷情報は、第１の負荷が過渡状態では過渡状態電流及び定常状態では定常状態電流を必要とし得るという事実のため、定常状態情報及び過渡状態情報を含み得る。スイッチング状態等のこのような過渡状態は、定常状態に達する前に数ミリ秒間、数秒間、又は数分間続き得、且つ負荷毎にこれらの２つの異なる種類の電流は、大きく異なり得る。各情報は、要求信号、又は要求信号のやり取りの前若しくは後にやり取りされる別の信号によって、第１の負荷５１からデバイス１へと又は第１のゲート２１からデバイス１へと提供されてもよい。代替的に、各情報は、要求信号のやり取りの前又は後に、モデム１８を介してサーバからデバイス１へと提供されてもよい。要求信号のやり取りの前に提供される場合、デバイス１は、来るべき状況に備える。要求信号のやり取りの後に提供される場合、情報の提供は、比較的速く行われるべきである。
【００３３】
デバイス１は、補助コンバータ３１〜３３との（及び／又は補助ソース４１〜４３との）通信のための通信器１５を更に含んでもよい。ここでは、通信器１５は、例えば電力線通信等の有線方式での通信の為にケーブル２に結合されるが、代替的に、別の有線及び／又は無線通信が実現されてもよい。ここでは、通信器１５は、受信器１１及び送信器１４とは異なるが、代替的に、これらは同じでもよい。
【００３４】
デバイス１は、利用可能なケーブル電力容量を予測する予測器１６を更に含んでもよい。例えば、通信が補助コンバータ３１からのバッテリ電力容量を規定するバッテリ情報の受信を含む場合、予測器１６は、バッテリ情報を考慮して利用可能なケーブル電力容量を予測するように構成されてもよく、生成器１３は、分析器からの分析結果に応じて、エネルギーをバッテリ４１へと誘導する第１の状態（充電）又はバッテリ４１からエネルギーを回収する第２の状態（放電）にバッテリ４１を至らせるように構成されてもよい。例えば、通信が補助コンバータ３２、３３からのソーラーパネル電力容量を規定するソーラーパネル情報の受信を含む場合、予測器１６は、ソーラーパネル情報を考慮して利用可能なケーブル電力容量を予測するように構成されてもよい。
【００３５】
予測器１６は、主コンバータ３４の最大電力容量を考慮して利用可能なケーブル電力容量を予測するように更に構成されてもよく、並びに気象情報及び／又はｗｗｗ情報等を考慮して利用可能なケーブル電力容量を予測するように構成されてもよい。
【００３６】
通常、デバイス１は、第２のゲート２２（第３のゲート２３、第４のゲート２４等）を制御するように構成される。第２のゲート２２は、ケーブル２を介して第２の負荷５２に供給される第２の電力量を制御するように構成される。第２のゲート２２は、デバイス１に第２の要求信号を送り且つデバイス１から第２の指示信号を受信するように更に構成される。受信器１１は、第２のゲート２２から第２の要求信号を受信するように構成される。分析器１２は、利用可能なケーブル電力容量を考慮して第２の要求信号によって規定された第２の要求を分析するように構成される。生成器１３は、分析器１２からの第２の分析結果に応じて第２のゲート２２に対する第２の指示を生成するように構成される。送信器１４は、第２の指示を規定する第２の指示信号を第２のゲート２２へと送信するように構成される。
【００３７】
第１の負荷５１が第１の電力量を受け取り中であり且つ第２のゲート２２が第２の電力量を第２の負荷５２へと移動させることを要求済みである場合、生成器１３は、第２の負荷５２が第２の電力量を受け取り中となるまで、第１の負荷５１に供給される第１の電力量を一時的に減少させてもよい。例えば、第２の負荷５２が比較的大きな過渡状態電流を必要とする場合及び第１の負荷５１が比較的小さな過渡状態電流を必要とする場合、第１の負荷５１に供給される第１の電力量が一時的に減らされてもよい。第１の電力量は、負荷５１、５２を交互に制御する為にゼロにさえ減らされてもよい。
【００３８】
第１の負荷５１が第１の電力量を受け取り中であり且つ第２のゲート２２が第２の電力量を第２の負荷５２へと移動させることを要求済みである場合、生成器１３は、第１の負荷５１に供給される第１の電力量を減少させてもよく、第２の電力量の一部のみが第２の負荷５２に供給されることを可能にしてもよい。例えば、第２の負荷５２が比較的大きな定常状態電流を必要とする場合、第１の負荷５１に供給される第１の電力量が減らされてもよく、第２の電力量の一部のみが第２の負荷５２に供給されることが許可されてもよい。これらの減少は、例えば負荷５１、５２がランプである場合、パルス出力方式で実現されてもよく、パルス出力方式は、好ましくは、人間の目にとって妨げとなるものではない。
【００３９】
図２では、分析器１２、生成器１３及び予測器１６は、受信器１１、送信器１４、通信器１５、メモリ１７及びモデム１８に結合される制御装置１９のハードウェアモジュール及び／又はソフトウェアモジュールである。代替的に、分析器１２、生成器１３及び予測器１６は、制御装置１９に結合される別個のモジュールでもよい、又はモジュール１２、１３及び１６の１つが制御装置１９等を含んでもよい。制御装置１９は、プロセッサ又はマイクロコントローラ等でもよい。
【００４０】
図３では、フローチャートが示され、以下のブロックは以下の意味を有する：
ブロック６１：要求ゲートからの要求を規定する要求信号の受信。ブロック６２に進む。
ブロック６２：主コンバータ３４の最大電力容量を考慮して及びソーラーパネル４２、４３に関するソーラーパネル情報を考慮してその場で又は直前に予測された利用可能なケーブル電力容量を考慮した要求信号によって規定された要求の分析。ブロック６３に進む。
ブロック６３：要求された過渡状態電流及び要求された定常状態電流を利用可能なケーブル電力容量によって届けることができるか？「はい」であれば、ブロック６９に進み、「いいえ」であれば、ブロック６４に進む。
ブロック６４：他のソース４２〜４４をサポートする為にバッテリ４１を充電モードから放電モードに至らせるように補助コンバータ３１を制御する。ブロック６５に進む。
ブロック６５：ここではバッテリ電力容量も含む利用可能なケーブル電力容量によって、要求された過渡状態電流及び要求された定常状態電流を届けることができるか？「はい」であれば、ブロック６９に進み、「いいえ」であれば、ブロック６６に進む。
ブロック６６：他の既にアクティブな負荷への他のゲートを交互に制御する又は比較的小さな過渡電流を有する既にアクティブな負荷の他のゲートをこれらの既にアクティブな負荷を一時的にオフに切り替えるように制御する。ブロック６７に進む。
ブロック６７：ここで要求された過渡状態電流を利用可能なケーブル電力容量によって届けることができるか？「はい」であれば、ブロック６９に進み、「いいえ」であれば、ブロック６８に進む。
ブロック６８：変更された制御によって要求された過渡状態電流を届けることができるか？「はい」であれば、ブロック７０に進み、「いいえ」であれば、ブロック７１に進む。
ブロック６９：全電力量を移動させるよう要求ゲートを制御する。
ブロック７０：既にアクティブな照明負荷への他のゲートをこれらのアクティブ負荷を交互に又はパルス出力方式で調光するように制御し、且つ電力の全量又はその一部を移動させるように要求ゲートを制御する。
ブロック７１：電力の移動を許可しないように要求ゲートを制御する。
【００４１】
図３のフローチャートは、要求ゲートからの要求を規定する要求信号の受信から始まる（ブロック６１）。次に、その場で予測された利用可能なケーブル電力容量を考慮して、要求信号によって規定された要求の分析が行われる。代替的に、直前に、例えば定期的に予測される利用可能なケーブル電力容量を考慮して、分析が行われてもよい。利用可能なケーブル電力容量の予測は、主コンバータ３４の最大電力容量を考慮して及びソーラーパネル４２、４３に関するソーラーパネル情報を考慮して、例えば、主コンバータ３４の最大電力容量及びソーラーパネル４２、４３の瞬時電力容量を加算することによって、並びに既にアクティブな負荷に現在届けられた使用されるケーブル電力容量を減算することによって行われる（ブロック６２）。この予測は、更に気象情報及び／又はｗｗｗ情報等に基づいてもよい。
【００４２】
次に、要求された過渡状態電流及び要求された定常状態電流が、利用可能なケーブル電力容量を考慮して、可能な限り利用可能な電流と比較される。これらを届けることができる場合、要求ゲートは、全電力量を移動させるように制御され（ブロック６９）、これらを届けることができない場合、他のソース４２〜４４をサポートする為にバッテリ４１を充電モード（電力受け取りモード）から放電モード（電力供給モード）に至らせるように補助コンバータ３１が制御される（ブロック６４）。
【００４３】
次に、ここではバッテリ電力容量も含む利用可能なケーブル電力容量を考慮して、要求された過渡状態電流及び要求された定常状態電流が、可能な限り利用可能な電流と比較される。これらを届けることができる場合、要求ゲートは、全電力量を移動させるように制御され（ブロック６９）、これらを届けることができない場合、既にアクティブな負荷への他のゲートが交互に制御される、又は比較的小さな過渡電流を有する既にアクティブな負荷の他のゲートをこれらのアクティブな負荷を一時的にオフに切り替えるように制御される（ブロック６６）。
【００４４】
次に、要求された過渡状態電流が、利用可能なケーブル電力容量を考慮して、可能な限り利用可能な電流と比較される。それを届けることができる場合、要求ゲートは、全電力量を移動させるように制御され（ブロック６９）、それを届けることができない場合、要求された過渡状態電流が変更された制御によって届けられるか否かが調査される。変更された制御は、他の既にアクティブな負荷へ供給される電力の（一時的な）減少、１つ若しくは複数の他の既にアクティブな負荷の（一時的な）スイッチオフ、１つ若しくは複数の他の既にアクティブな負荷の制御の変更、又は１つ若しくは複数の他の既にアクティブな負荷を別の電力モードに至らせる等を含んでもよい。変更された制御が要求された過渡状態電流が供給されることを可能にする場合、例えば、既にアクティブな照明負荷への他のゲートが、これらのアクティブな照明負荷を交互に若しくはパルス出力方式で調光する為に制御される、又は既にアクティブな負荷への１つ若しくは複数の他のゲートがこれらのアクティブな負荷の制御若しくは電力モードを変更するように制御される等、及び要求ゲートが全電力量若しくはその一部を移動させるように制御される（ブロック７０）。要求された過渡状態電流が供給されることを変更された制御が可能にしない場合、要求ゲートは、電力の移動が許可されないことを通知される。
【００４５】
要求された過渡状態電流及び／又は要求された定常状態電流を利用可能なケーブル電力容量を考慮して、可能な限り利用可能な電流と比較する代わりに、要求された過渡状態電力量及び／又は要求された定常状態電力量が、ケーブル２を介して利用可能な電力量と比較される等でもよい。主ソースの停電又は電源異常が利用可能なケーブル電力容量を変更し得、且つ利用可能なケーブル電力容量は、そのような主ソースの停電又は電源異常の可能性を考慮して予測又は計算されてもよい。過渡要件を一時的に克服する為に、例えばディーゼル発電機等の燃料発電機等の発電機の形態の補助ソースが導入されてもよい。起動時に比較的大きな過渡電流又は比較的多量の過渡電力を必要とする既に作動させられた負荷は、好ましくは、比較的必要でない限り、比較的短時間の間、完全にオフに切り替えられない。
【００４６】
２つの素子が、第３の素子を間に有すること無く直接結合されてもよい、及び第３の素子を間に有して間接的に結合されてもよい。
【００４７】
要約すると、ケーブル２を介して負荷５１〜５４に供給される電力量を制御するように構成されたゲート２１〜２４を制御するデバイス１は、ゲート２１〜２４から要求信号を受信する受信器１１、利用可能なケーブル電力容量を考慮して要求信号によって規定される要求を分析する分析器１２、分析結果に応じてゲート２１〜２４に対する指示を生成する生成器１３、及び指示を規定する指示信号をゲート２１〜２４へと送信する送信器を含んでもよい。分析器１２は、定常状態情報／過渡状態情報を含む負荷情報を考慮して要求を分析することができる。デバイス１は、バッテリ４１及びソーラーパネル４２、４３等の補助ソース４１〜４３に結合された補助コンバータ３１〜３３と通信する通信器１５を含んでもよく、並びに利用可能なケーブル電力容量を予測する予測器１６を含んでもよい。改良デバイス１は、最早ゲート２１〜２４によって後で通知されるのでは無く、ゲート２１〜２４によって事前に通知され、分析結果に応じてこれらのゲート２１〜２４を制御する。
【００４８】
図面及び上記の説明において本発明を詳細に図示及び説明したが、そのような図示及び説明は、限定的なものではなく、説明の為のもの又は例示的なものであると見なされるべきものであり、本発明は、開示された実施形態に限定されない。開示された実施形態に対する他の変形形態は、図面、開示内容、及び添付の特許請求の範囲の研究から、請求項に係る発明の実施において、当業者によって理解され且つもたらされ得る。クレームにおいて、「含む」（“comprising”）という用語は、他の要素又はステップを排除しない、及び不定冠詞「a」又は「an」は、複数を排除しない。特定の手段が互いに異なる従属クレームに記載されているという事実だけでは、これらの手段の組み合わせを有利に使用できないことを意味しない。クレームにおける何れの参照符号も範囲を限定するものと解釈されるものではない。
【図１】
0006396436.tif 000002
【図２】
0006396436.tif 000003
【図３】
0006396436.tif 000004